【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】
放送を介して少なくとも機器の種類を含む識別子と制御方法とを制御情報として受信する電子機器において、予め与えられた前記電子機器の仕様に基づいて前記受信した制御情報が利用できるか否かを判断し、この判断が利用できるという判断である場合に前記電子機器の仕様に基づいて制御情報を変換することを特徴とする制御方法更新方法。
【請求項２】
放送を介して少なくとも機器の種類を含む識別子と制御方法とを制御情報として受信する電子機器において、予め前記電子機器の仕様を記憶する装置仕様記憶手段と、この電子機器の仕様に基づいて前記受信した制御情報を利用できるか否かを判断する利用判断手段と、前記利用判断手段による判断が利用できるという判断である場合に前記電子機器の仕様に基づいて前記電子機器に合わせた制御情報に変換する制御情報変換手段とを備えたことを特徴とする制御方法更新装置。
【請求項３】
放送を介して少なくとも機器の種類を含む識別子と制御方法を制御情報として受信する制御方法受信手段と、他の機器を接続する接続手段と、接続されている機器の仕様を記憶する装置仕様記憶手段と、この仕様に基づいて前記制御方法受信手段で受信した制御情報を利用できるか否かを判断する利用判断手段と、前記利用判断手段による判断が利用できるという判断である場合に前記装置仕様記憶手段に記憶されている仕様に基づいて前記制御情報を変換する制御情報変換手段を備えたことを特徴とする放送受信装置。
【請求項４】
放送を介して少なくとも機器の種類を含む識別子と機能仕様と制御方法とを組み合わせたものを制御情報として複数受信する電子機器において、予め与えられた装置仕様に基づいて前記受信した制御情報を利用するか否かを判断し、この判断が利用するという判断である場合に前記装置仕様に基づいて前記電子機器に合わせた制御情報に変換して前記機能仕様と組み合わせて記憶し、前記機能仕様に基づいてユーザに選択肢を提示し、この提示に対するユーザからの指定に基づいて前記記憶した制御情報から選択することを特徴とする制御方法更新方法。
【請求項５】
放送を介して少なくとも機器の種類を含む識別子と機能仕様と制御方法を組み合わせたものを制御情報として複数受信する電子機器において、予め装置仕様を記憶する装置仕様記憶手段と、この装置仕様に基づいて前記受信した制御情報を利用するか否かを判断する利用判断手段と、この判断が利用するという判断である場合に前記装置仕様に基づいて前記電子機器に合わせた制御情報に変換して記憶する機能仕様付制御情報変換記憶手段と、前記機能仕様に基づいてユーザに選択肢を提示する提示手段と、この提示に対するユーザからの指定を受け付ける指定受け付け手段と、この指定に基づいて前記機能仕様付制御情報変換記憶手段で記憶した制御情報から選択する制御方法選択手段を備えたことを特徴とする制御方法更新装置。
【請求項６】
放送を介して少なくとも機器の種類を含む識別子と機能仕様と制御方法を制御情報として複数受信する制御方法受信手段と、他の機器を接続する接続手段と、接続されている機器の仕様を記憶する装置仕様記憶手段と、この仕様に基づいて前記受信した制御情報を利用するか否かを判断する利用判断手段と、この判断が利用するという判断である場合に前記装置仕様に基づいて前記電子機器に合わせた制御情報に変換して記憶する機能仕様付制御情報変換記憶手段と、前記機能仕様に基づいてユーザに選択肢を提示する提示手段と、この提示に対するユーザからの指定を受け付ける指定受け付け手段と、この指定に基づいて前記機能仕様付制御情報変換記憶手段で記憶した制御情報から選択することを特徴とする放送受信装置。
【請求項７】
放送を介して少なくとも機器の種類を含む識別子と機能仕様と制御方法を組み合わせたものを制御情報として複数受信する電子機器において、予め与えられた装置仕様に基づいて前記受信した制御情報を利用するか否かを判断し、この判断が利用するという判断である場合に前記装置仕様に基づいて前記電子機器に合わせた制御情報に変換して前記機能仕様と組み合わせて記憶し、前記機能仕様とセンサーから得た情報の両方に基づいて前記記憶した制御情報から選択することを特徴とする制御方法更新方法。
【請求項８】
放送を介して少なくとも機器の種類を含む識別子と機能仕様と制御方法を組み合わせたものを制御情報として複数受信する電子機器において、予め装置仕様を記憶する装置仕様記憶手段と、この装置仕様に基づいて前記受信した制御情報を利用するか否かを判断する利用判断手段と、この判断が利用するという判断である場合に前記装置仕様に基づいて前記電子機器に合わせた制御情報に変換して記憶する機能仕様付制御情報変換記憶手段と、前記機能仕様とセンサーから得た情報の両方に基づいて前記記憶した制御情報から選択する制御方法選択手段を備えたことを特徴とする制御方法更新装置。
【請求項９】
放送を介して少なくとも機器の種類を含む識別子と機能仕様と制御方法を制御情報として複数受信する制御方法受信手段と、他の機器を接続する接続手段と、接続されている機器の仕様を記憶する装置仕様記憶手段と、この仕様に基づいて前記受信した制御情報を利用するか否かを判断する利用判断手段と、この判断が利用するという判断である場合に前記装置仕様に基づいて前記電子機器に合わせた制御情報に変換して記憶する機能仕様付制御情報変換記憶手段と、前記機能仕様とセンサーから得た情報の両方に基づいて前記記憶した制御情報から選択する制御方法選択手段を備えたことを特徴とする放送受信装置。
【請求項１０】
放送を介して少なくとも機器の種類を含む識別子と制御方法と制御時に表示する表示情報を組み合わせて制御情報として受信する電子機器において、予め与えられた前記電子機器の仕様に基づいて前記受信した制御情報が利用できるか否かを判断し、この判断が利用できるという判断である場合に前記電子機器の仕様に基づいて制御情報を変換し、この変換結果に基づいて制御と同時に表示情報を表示することを特徴とする制御方法更新方法。
【請求項１１】
放送を介して少なくとも機器の種類を含む識別子と制御方法と制御時に表示する表示情報を組み合わせて制御情報として受信する電子機器において、予め前記電子機器の仕様を記憶する装置仕様記憶手段と、この電子機器の仕様に基づいて前記受信した制御情報を利用できるか否かを判断する利用判断手段と、この判断が利用できるという判断である場合に前記電子機器の仕様に基づいて前記電子機器に合わせた制御情報に変換する制御情報変換手段と、前記変換された制御情報に基づいて制御を行うと同時に制御情報に含まれる表示情報を表示する表示情報制御手段とを備えたことを特徴とする制御方法更新装置。
【請求項１２】
放送を介して少なくとも機器の種類を含む識別子と制御方法と制御時に表示する表示情報を組み合わせて制御情報として受信する制御方法受信手段と、他の機器を接続する接続手段と、接続されている機器の仕様を記憶する装置仕様記憶手段と、この仕様に基づいて前記制御方法受信手段で受信した制御情報を利用できるか否かを判断する利用判断手段と、この判断が利用できるという判断である場合に前記装置仕様記憶手段に記憶されている仕様に基づいて前記制御情報を変換する制御情報変換手段と、前記変換された制御情報に基づいて制御を行うと同時に制御情報に含まれる表示情報を表示する表示情報制御手段とを備えたことを特徴とする放送受信装置。
【請求項１３】
放送を介して少なくとも機器の種類を含む識別子と制御方法を制御情報として受信する電子機器において、予め与えられた前記電子機器の仕様に基づいて前記受信した制御情報が利用できるか否かを判断し、この判断が利用できるという判断である場合に前記電子機器の仕様と前記電子機器にユーザの設定操作により設定された機器設定の両方に基づいて制御情報を変換することを特徴とする制御方法更新方法。
【請求項１４】
放送を介して少なくとも機器の種類を含む識別子と制御方法を制御情報として受信する電子機器において、予め前記電子機器の仕様を記憶する装置仕様記憶手段と、この電子機器の仕様に基づいて前記受信した制御情報を利用できるか否かを判断する利用判断手段と、ユーザからの機器設定を受け付ける設定手段と、前記利用判断手段での判断が利用できるという判断である場合に前記電子機器の仕様と前記設定手段で受け付けたユーザの機器設定の両方に基づいて前記制御情報を変換する設定付制御情報変換手段を備えたことを特徴とする制御方法更新装置。
【請求項１５】
放送を介して少なくとも機器の種類を含む識別子と制御方法を制御情報として受信する電子機器において、他の機器を接続する接続手段と、接続されている機器の仕様を記憶する装置仕様記憶手段と、この仕様に基づいて前記受信した制御情報を利用できるか否かを判断する利用判断手段と、ユーザからの機器設定を受け付ける設定手段と、前記利用判断手段での判断が利用できるという判断である場合に前記電子機器の仕様と前記設定手段で受け付けたユーザの機器設定の両方に基づいてに基づいて前記制御情報を変換する設定付制御情報変換手段を備えたことを特徴とする放送受信装置。
【請求項１６】
放送を介して少なくとも機器の種類を含む識別子と制御方法を制御情報として受信する電子機器において、予め与えられた前記電子機器の仕様に基づいて前記受信した制御情報が利用できるか否かを判断し、この判断が利用できるという判断である場合に前記電子機器の仕様と、周囲の環境を検知するセンサーからの情報の両方に基づいて制御情報を変換することを特徴とする制御方法更新方法。
【請求項１７】
放送を介して少なくとも機器の種類を含む識別子と制御方法を制御情報として受信する電子機器において、予め前記電子機器の仕様を記憶する装置仕様記憶手段と、この電子機器の仕様に基づいて前記受信した制御情報を利用できるか否かを判断する利用判断手段と、周囲の環境を検知する環境センサー手段と、この判断が利用できるという判断である場合に前記電子機器の仕様と、前記環境センサー手段からの情報の両方に基づいて前記電子機器に合わせた制御情報に変換するセンサー付制御情報変換手段を備えたことを特徴とする制御方法更新装置。
【請求項１８】
放送を介して少なくとも機器の種類を含む識別子と制御方法を制御情報として受信する制御方法受信手段と、他の機器を接続する接続手段と、接続されている機器の仕様を記憶する装置仕様記憶手段と、この仕様に基づいて前記制御方法受信手段で受信した制御情報を利用できるか否かを判断する利用判断手段と、周囲の環境を検知する環境センサー手段と、この判断が利用できるという判断である場合に前記装置仕様記憶手段に記憶されている仕様と、前記環境センサー手段からの情報の両方に基づいて前記制御情報を変換するセンサー付制御情報変換手段を備えたことを特徴とする放送受信装置。
【請求項１９】
放送を介して機種に依存しない汎用的な指数による制御情報を受信する電子機器において、
前記制御情報を受信する制御情報受信手段と、
前記電子機器に接続されている装置の仕様を記憶する装置仕様記憶手段と、
前記装置仕様記憶手段の仕様に基づき、前記制御情報受信手段で受信した制御情報を前記電子機器に接続されている装置に応じた制御情報に変換する制御情報変換手段と、
を有する制御情報受信装置。
【請求項２０】
請求項１９の制御情報受信装置において、
前記制御情報受信手段で受信する制御情報に制御機器に表示させる表示情報を含む
ことを特徴とする制御情報受信装置。
【請求項２１】
請求項１９の制御情報受信装置において、
ユーザからの機器設定を受け付ける設定手段を更に有し、
制御情報変換手段において、
さらに、前記設定手段で設定された内容に応じて制御情報を変換する
ことを特徴とする制御情報受信装置。
【請求項２２】
放送を介して機種に依存しない汎用的な指数による制御情報を受信する電子機器において、
前記制御情報を受信する制御情報受信ステップと、
前記電子機器に接続されている装置の仕様を装置仕様記憶手段に記憶する装置仕様記憶ステップと、
前記装置仕様記憶手段の仕様に基づき、前記制御情報受信ステップで受信した制御情報を前記電子機器に接続されている装置に応じた制御情報に変換する制御情報変換手ステップと、
を有する制御情報受信方法。
【請求項２３】
請求項２２の制御情報受信方法において、
前記制御情報受信ステップで受信する制御情報に制御機器に表示させる表示情報を含む
ことを特徴とする制御情報受信方法。
【請求項２４】
請求項２２の制御情報受信方法において、
ユーザからの機器設定を受け付ける設定ステップを更に有し、
制御情報変換ステップにおいて、
さらに、前記設定ステップで設定された内容に応じて制御情報を変換する
ことを特徴とする制御情報受信方法。